(57)【特許請求の範囲】
【請求項１】
基地局からリレーノードまでのリンクのサブフレームにおいて、周波数分割多重方式、または時間分割-周波数分割多重方式、または時間分割多重方式を採用して、制御情報のキャリー及び制御チャネルのマッピングを行い、その中、
前記周波数分割多重方式は、周波数方向上の１つまたは複数のリソースブロックと、時間方向上のサブフレーム内のリレーリンクの使用可能な直交周波数分割多重（OFDM）符号の全体集合によって、基地局からリレーノードまでのリンクの制御情報をキャリーし、
前記時間分割-周波数分割多重方式は、周波数方向上の1つまたは複数のリソースブロックと、時間方向上のサブフレーム内のリレーリンクの使用可能なOFDM符号のサブセットによって、基地局からリレーノードまでのリンクの制御情報をキャリーし、
前記時間分割多重方式が、周波数方向上の全体のリソースブロックと、時間方向上のサブフレーム内のリレーリンクの使用可能なOFDM符号のサブセットによって、基地局からリレーノードまでのリンクの制御情報をキャリーし、
前記制御チャネルマッピングは時間方向及び/または周波数方向のマッピングを含み、
連続または離散的なリソースブロックと、サブフレーム内のリレーリンクの使用可能なOFDM符号の全体集合によって、基地局からリレーノードまでのリンクの制御情報をキャリーする前記周波数分割多重方式であり、
前記制御チャネルの周波数方向のマッピングとは、
連続的なリソースブロックと、サブフレーム内のリレーリンクの使用可能なOFDM符号の全体集合に対応する制御情報のキャリーする方式を採用して、基地局からリレーノードまでのリンクの制御情報をキャリーし、当該キャリーする方式において、基地局とリレーノードは、システムにおけるセルIDと総リソースブロックの数によって、またはシステムにおけるセルIDとサブフレーム番号によって、基地局からリレーノードまでのリンクの制御情報をキャリーすることに用いられるリソースブロックの数と位置を確定し、基地局からリレーノードまでのリンクの制御情報をキャリーすることに用いられ確定されたリソースブロックの1つまたは複数のリソースブロック上に、制御情報及び他に基地局からリレーノードまでのリンク制御情報をキャリーすることに用いられるリソースブロックの数と位置情報をキャリーし、
または、離散的なリソースブロックと、サブフレーム内のリレーリンクの使用可能なOFDM符号の全体集合に対応する制御情報のキャリーする方式を採用して、基地局からリレーノードまでのリンクの制御情報をキャリーし、当該キャリーする方式において、基地局とリレーノードは、システムにおけるセルIDと総リソースブロックの数によって、またはシステムにおけるセルIDとサブフレーム番号によって、基地局からリレーノードまでのリンクの制御情報をキャリーすることに用いられるリソースブロックの数と位置を確定し、そして基地局からリレーノードまでのリンク制御情報をキャリーすることに用いられ確定されたリソースブロックにおいて、PCFICH物理制御フォーマットインジケータチャネルをマッピングするサブキャリア群に対応するリソースブロック上に、制御情報及び他に基地局からリレーノードまでのリンク制御情報をキャリーすることに用いられるリソースブロックの数と位置情報をキャリーし、
連続または離散的なリソースブロックと、サブフレーム内のリレーリンクの使用可能なOFDM符号のサブセットによって、基地局からリレーノードまでのリンクの制御情報をキャリーする前記時間分割-周波数分割多重方式であり、
前記制御チャネルの周波数方向のマッピングとは、
連続的なリソースブロックと、サブフレーム内のリレーリンクの使用可能なOFDM符号のサブセットに対応する制御情報のキャリーする方式を採用して、基地局からリレーノードまでのリンク制御情報をキャリーし、当該キャリーする方式において、基地局とリレーノードは、システムにおけるセルIDと総リソースブロックの数によって、またはシステムにおけるセルIDとサブフレーム番号によって、基地局からリレーノードまでのリンク制御情報をキャリーすることに用いられるリソースブロックの数と位置を確定し、基地局からリレーノードまでのリンクの制御情報をキャリーすることに用いられ確定されたリソースブロックの1つまたは複数のリソースブロック上に、制御情報及び他に基地局からリレーノードまでのリンク制御情報をキャリーすることに用いられるリソースブロックの数と位置情報をキャリーし、
または、離散的なリソースブロックと、サブフレーム内のリレーリンクの使用可能なOFDM符号のサブセットに対応する制御情報のキャリーする方式を採用して、基地局からリレーノードまでのリンク制御情報をキャリーし、当該キャリーする方式において、基地局とリレーノードは、システムにおけるセルIDと総リソースブロックの数によって、またはシステムにおけるセルIDとサブフレーム番号によって、基地局からリレーノードまでのリンク制御情報をキャリーすることに用いられるリソースブロックの数と位置を確定し、基地局からリレーノードまでのリンク制御情報をキャリーすることに用いられ確定されたリソースブロックにおいて、PCFICH物理制御フォーマットインジケータチャネルをマッピングするサブキャリア群に対応するリソースブロック上に、制御情報及び他に基地局からリレーノードまでのリンク制御情報をキャリーすることに用いられるリソースブロックの数と位置情報をキャリーする
ことを特徴とするリレーリンク制御チャネルの伝送方法。
【請求項２】
周波数方向上の全体のリソースブロックと、時間方向上のサブフレーム内のリレーリンクの使用可能なOFDM符号のサブセットによって、基地局からリレーノードまでのリンクの制御情報をキャリーする前記時間分割多重方式である
ことを特徴とする請求項1に記載の方法。
【請求項３】
基地局からリレーノードまでのリンクの制御情報をキャリーするOFDM符号の数は少なくとも１つ、多くとも4つである
ことを特徴とする請求項１または２に記載の方法。
【請求項４】
時間方向上で、基地局が基地局からリレーノードまでのリンクの制御情報をキャリーすることに用いられるOFDM符号を送信する位置は、４つ目または５つ目のOFDM符号からスタートし、その中、下りリソースブロックの数が10以下であるとき、基地局が基地局からリレーノードまでのリンクの制御情報をキャリーすることに用いられるOFDM符号を送信する位置は、5つ目のOFDM符号からスタートし、さもないと、基地局が基地局からリレーノードまでのリンクの制御情報をキャリーすることに用いられるOFDM符号を送信する位置は、4つ目のOFDM符号からスタートし、
リレーノードが基地局からリレーノードまでのリンクの制御情報をキャリーすることに用いられるOFDM符号を受信する位置は、4つ目または5つ目のOFDM符号からスタートし、下りリソースブロックの数が10以下であるとき、リレーノードが基地局からリレーノードまでのリンクの制御情報をキャリーすることに用いられるOFDM符号を受信する位置は、５つ目のOFDM符号からスタートし、さもないと、リレーノードが基地局からリレーノードまでのリンクの制御情報をキャリーすることに用いられるOFDM符号を受信する位置は、4つ目のOFDM符号からスタートし、
または、時間方向上で、基地局が基地局からリレーノードまでのリンクの制御情報をキャリーすることに用いられるOFDM符号を送信する位置は、全て4つ目または5つ目のOFDM符号からスタートし、リレーノードが基地局からリレーノードまでのリンクの制御情報をキャリーすることに用いられるOFDM符号を受信する位置は、全て4つ目または5つ目のOFDM符号からスタートし、
または、時間方向上で、基地局が基地局からリレーノードまでのリンクの制御情報をキャリーすることに用いられるOFDM符号を送信する開始位置は、シグナリング通知の方式で配置され、リレーノードが基地局からリレーノードまでのリンクの制御情報をキャリーすることに用いられるOFDM符号を受信する開始位置は、シグナリング配置により取得される
ことを特徴とする請求項1に記載の方法。
【請求項５】
1つリレーノードまたは複数のリレーノードの制御情報を含む前記基地局からリレーノードまでのリンクの制御情報であって、
リレーノード下り上りグラント制御情報、及び/または基地局からリレーノードに利用可能な資源を通知する制御情報、及び/または基地局からリレーノードに所属端末を通知する制御情報を更に含む前記制御情報である
ことを特徴とする請求項1に記載の方法。
【請求項６】
周波数分割多重方式、または時間分割-周波数分割多重方式、または時間分割多重方式を採用して、制御情報のキャリー及び制御チャネルのマッピングを行い、基地局からリレーノードまでのリンクの制御情報を制御チャネルデマッピングモジュールに伝送する制御チャネルマッピングモジュールと、
前記制御チャネルを受信してデマッピングして、前記制御情報を取得する制御チャネルデマッピングモジュールと、を含むリレーリンク制御チャネルの伝送システムであって、
周波数方向上の1つまたは複数のリソースブロックと、時間方向上サブフレーム内のリレーリンクの使用可能なOFDM符号の全体集合によって、基地局からリレーノードまでのリンクの制御情報をキャリーする前記周波数分割多重方式であり、
周波数方向上の1つまたは複数のリソースブロックと、時間方向上のサブフレーム内のリレーリンクの使用可能なOFDM符号のサブセットによって、基地局からリレーノードまでのリンクの制御情報をキャリーする前記時間分割-周波数分割多重方式であり、
周波数方向上の全体のリソースブロックと、時間方向上のサブフレーム内のリレーリンクの使用可能なOFDM符号のサブセットによって、基地局からリレーノードまでのリンクの制御情報をキャリーする前記時間分割多重方式であり、
時間方向及び/または周波数方向のマッピングを含む前記制御チャネルマッピングであり、
連続または離散的なリソースブロックと、サブフレーム内のリレーリンクの使用可能なOFDM符号の全体集合によって、基地局からリレーノードまでのリンクの制御情報をキャリーする前記周波数分割多重方式であり、
前記制御チャネルの周波数方向のマッピングとは、
連続的なリソースブロックと、サブフレーム内のリレーリンクの使用可能なOFDM符号の全体集合に対応する制御情報のキャリーする方式を採用して、基地局からリレーノードまでのリンクの制御情報をキャリーし、当該キャリーする方式において、基地局とリレーノードは、システムにおけるセルIDと総リソースブロックの数によって、またはシステムにおけるセルIDとサブフレーム番号によって、基地局からリレーノードまでのリンクの制御情報をキャリーすることに用いられるリソースブロックの数と位置を確定し、基地局からリレーノードまでのリンクの制御情報をキャリーすることに用いられ確定されたリソースブロックの1つまたは複数のリソースブロック上に、制御情報及び他に基地局からリレーノードまでのリンク制御情報をキャリーすることに用いられるリソースブロックの数と位置情報をキャリーし、
または、離散的なリソースブロックと、サブフレーム内のリレーリンクの使用可能なOFDM符号の全体集合に対応する制御情報のキャリーする方式を採用して、基地局からリレーノードまでのリンクの制御情報をキャリーし、当該キャリーする方式において、基地局とリレーノードは、システムにおけるセルIDと総リソースブロックの数によって、またはシステムにおけるセルIDとサブフレーム番号によって、基地局からリレーノードまでのリンクの制御情報をキャリーすることに用いられるリソースブロックの数と位置を確定し、そして基地局からリレーノードまでのリンク制御情報をキャリーすることに用いられ確定されたリソースブロックにおいて、PCFICH物理制御フォーマットインジケータチャネルをマッピングするサブキャリア群に対応するリソースブロック上に、制御情報及び他に基地局からリレーノードまでのリンク制御情報をキャリーすることに用いられるリソースブロックの数と位置情報をキャリーし、
連続または離散的なリソースブロックと、サブフレーム内のリレーリンクの使用可能なOFDM符号のサブセットによって、基地局からリレーノードまでのリンクの制御情報をキャリーする前記時間分割-周波数分割多重方式であり、
前記制御チャネルの周波数方向のマッピングとは、
連続的なリソースブロックと、サブフレーム内のリレーリンクの使用可能なOFDM符号のサブセットに対応する制御情報のキャリーする方式を採用して、基地局からリレーノードまでのリンク制御情報をキャリーし、当該キャリーする方式において、基地局とリレーノードは、システムにおけるセルIDと総リソースブロックの数によって、またはシステムにおけるセルIDとサブフレーム番号によって、基地局からリレーノードまでのリンク制御情報をキャリーすることに用いられるリソースブロックの数と位置を確定し、基地局からリレーノードまでのリンクの制御情報をキャリーすることに用いられ確定されたリソースブロックの1つまたは複数のリソースブロック上に、制御情報及び他に基地局からリレーノードまでのリンク制御情報をキャリーすることに用いられるリソースブロックの数と位置情報をキャリーし、
離散的なリソースブロックと、サブフレーム内のリレーリンクの使用可能なOFDM符号のサブセットに対応する制御情報のキャリーする方式を採用して、基地局からリレーノードまでのリンク制御情報をキャリーし、当該キャリーする方式において、基地局とリレーノードは、システムにおけるセルIDと総リソースブロックの数によって、またはシステムにおけるセルIDとサブフレーム番号によって、基地局からリレーノードまでのリンク制御情報をキャリーすることに用いられるリソースブロックの数と位置を確定し、基地局からリレーノードまでのリンク制御情報をキャリーすることに用いられ確定されたリソースブロックにおいて、PCFICH物理制御フォーマットインジケータチャネルをマッピングするサブキャリア群に対応するリソースブロック上に、制御情報及び他に基地局からリレーノードまでのリンク制御情報をキャリーすることに用いられるリソースブロックの数と位置情報をキャリーする
ことを特徴とするリレーリンク制御チャネルの伝送システム。
【請求項７】
周波数方向上の全体のリソースブロックと、時間方向上のサブフレーム内のリレーリンクの使用可能なOFDM符号のサブセットによって、基地局からリレーノードまでのリンクの制御情報をキャリーする前記時間分割多重方式である
ことを特徴とする請求項６に記載のシステム。
【請求項８】
基地局からリレーノードまでのリンクの制御情報をキャリーするOFDM符号の数は少なくとも１つ、多くとも4つである
ことを特徴とする請求項６に記載のシステム。
【請求項９】
時間方向上で、基地局が基地局からリレーノードまでのリンクの制御情報をキャリーすることに用いられるOFDM符号を送信する位置は、4つ目または5つ目のOFDM符号からスタートし、その中、下りリソースブロックの数が10以下であるとき、基地局が基地局からリレーノードまでのリンクの制御情報をキャリーすることに用いられるOFDM符号を送信する位置は、５つ目のOFDM符号からスタートし、さもないと、基地局が基地局からリレーノードまでのリンクの制御情報をキャリーすることに用いられるOFDM符号を送信する位置は4つ目のOFDM符号からスタートし、
リレーノードが基地局からリレーノードまでのリンクの制御情報をキャリーすることに用いられるOFDM符号を受信する位置は、4つ目または5つ目のOFDM符号からスタートし、下りリソースブロックの数が10以下であるとき、リレーノードが基地局からリレーノードまでのリンクの制御情報をキャリーすることに用いられるOFDM符号を受信する位置は５つ目のOFDM符号からスタートし、さもないと、リレーノードが基地局からリレーノードまでのリンクの制御情報をキャリーすることに用いられるOFDM符号を受信する位置は4つ目のOFDM符号からスタートし、
または、時間方向上で、基地局が基地局からリレーノードまでのリンクの制御情報をキャリーすることに用いられるOFDM符号を送信する位置は、全て4つ目または5つ目のOFDM符号からスタートし、リレーノードが基地局からリレーノードまでのリンクの制御情報をキャリーすることに用いられるOFDM符号を受信する位置は、全て4つ目または5つ目のOFDM符号からスタートし、
または、時間方向上で、基地局が基地局からリレーノードまでのリンクの制御情報をキャリーすることに用いられるOFDM符号を送信する開始位置は、シグナリング通知の方式で配置され、リレーノードが基地局からリレーノードまでのリンクの制御情報をキャリーすることに用いられるOFDM符号を受信する開始位置は、シグナリングの配置により取得される
ことを特徴とする請求項６に記載のシステム。
【発明の詳細な説明】
【技術分野】
【０００１】
本発明はリレー伝送技術に関し、特に、3GPPにおける長期発展型システム（LongTerm Evolution、LTE）、上級な長期発展型システム（Long Term Evolution Advanced、LTE-A）における下りリレーリンク制御チャネルの伝送方法及びシステムに関する。
【背景技術】
【０００２】
直交周波数分割多重（OrthogonalFrequency Division Multiplexing、OFDM）システムにおいて、時間-周波数二次元のデータ形式であるので、制御チャネルとサービスチャネルとの間の多重化する形式は時間方向と周波数方向、即ち、時間分割多重（TimeDivision Multiplex、TDM）方式と周波数分割多重（FrequencyDivision Multiplex、FDM）方式であってもよい。LTE、LTE-AにおいてRB（ResourceBlock、リソースブロック、リソースブロックが物理資源にマッピングされると、PhysicalResource Block、物理リソースブロックと称される）は、時間領域における連続の１つslot（タイムスロット）内のOFDM符号であり、周波数領域における連続の12または24個のサブキャリアであることと定義される。従って、１つのRBは
0005342659.tif 000002
個のRE（ResourceElement、リソースユニット）を有し、その中、
0005342659.tif 000003
は１つのslot内のOFDM符号の数を示し、
0005342659.tif 000004
はリソースブロックの周波数領域における連続のサブキャリアの数を示す。
【０００３】
LTEシステム、LTE-Aシステム、上級な国際移動通信システム（InternationalMobile Telecommunication Advanced、IMT-Advanced）はすべてOFDM技術を基礎とし、OFDMシステムにおいて時間-周波数二次元のデータ形式であり、UE側の省電力のため、制御チャネルは通常にTDM方式を採用し、つまり、制御チャネルとサービスチャネルは時間上で分けられ、例えば、１つのサブフレームに14個のOFDM符号を有し、最初の１つまたは最初の2つまたは最初の3つまたは最初の4つのOFDM符号を制御チャネルとし、相応的に、最後の13個または最後の12個または最後の1１個または最後の10個のOFDM符号をサービスチャネルとする。
【０００４】
まず、現在のLTEシステムの制御チャネルを例として説明し、例えば、LTEシステムにおいて、下り制御シグナリングは主に以下の内容、
1）物理制御フォーマットインジケータチャネル（Physical Control Format IndicatorChannel、PCFICH）、
2）下りリンクグラント（DownLink grant、DL grant）、
3）上りリンクグラント（UpLinkgrant、UL grant）、
4）物理HARQインジケータチャネル（PhysicalHybrid Automatic Repeat Request Indicator Channel、PHICH）、
を含む。
【０００５】
制御チャネルの設計は異なる構成部からなり、各構成部がその特定の機能を持つことが分かる。以下、説明の便利のため、専門用語と約束を定義する。
1）いくつかのOFDM符号が制御チャネル、即ち、PCFICHに使用されることを指示し、制御チャネル要素（ControlChannels Elements、CCE）と独立し、PHICHもCCEと独立する。
2）周波数領域における連続のL個のサブキャリアはCCEと称される、CCEがDLgrantとULgrantを含めてもよい。
3）全てのCCEは四位相偏移変調（Quadrature Phase Shift Keying、QPSK）の変調方式で変調する。
4）各制御チャネルが１つのCCEまたは複数のCCEからなる。
5）各UEが一連の候補制御チャネルをモニターすることができる。
6）候補制御チャネルの数はブラインド検出の最大回数である。
7）候補制御チャネルの数はCCEの数より多い。
8）送受信の両側にいくつかの組合せを規定し、例えば、ただ１つまたは2つまたは4つまたは8つのCCEだけ組合せて候補制御チャネルとする。
9）1、2、4、8の組合せはそれぞれ異なるエンコードレートに対応する。
【０００６】
eNode-B側において、各UEの制御情報をそれぞれチャネルエンコードし、順にQPSK変調を行い、CCEからRE（ResourceElement）までのマッピングを行って、最後に高速フーリエ逆変換（InverseFast Fourier Transform、IFFT）をすることで、後に送信する。このとき、制御チャネルが32個のCCEから構成され、受信側は高速フーリエ変換（FastFourier Transform、FFT）を行った後、ＵＥは１つのCCEである組合せからブラインド検出（即ち、それぞれにCCE0、CCE1、…、CCE31に対してブラインド検出を行なう）を始め、UE_IDのモニタリングが失敗すると、2つのCCEである組合せからブラインド検出（即ち、それぞれに[CCE0CCE1]、[CCE2CCE3]、…、[CCE30CCE31]に対して）を行い、これによって類推すればよろしい。すべてのブラインド検出過程における自体とマッチングするUE_IDがモニターされない場合、このときに自体に属する制御シグナリングの伝達がないと示し、UEはスリープモードに切換える。自体とマッチングするUE_IDをモニターしたと、制御シグナリングにより対応のサービス情報を復調する。
【０００７】
B3G/4Gの研究目標はセルラー、固定無線アクセス、ノマディック、無線領域ネットワーク等のアクセスシステムを集めて、全体のIPネットワークを組合せて、高速と低速の移動環境でそれぞれにユーザにピック値レートが100Mbps及び1Gbpsに達する無線伝送能力を提供し、そしてセルラーシステム、領域性無線ネットワーク、放送、テレビ・衛星通信のシームレスなつながりを実現して、人間は「だれもがいつもどんな場所で他のだれもといかなる方式での通信を実現する」ことを実現する。リレー（Relay）技術は１つの有効的な措置として応用されることができ、Relay技術はセルのカバーを広げる上にセルの容量も増える。
【０００８】
インバンドリレー（inband-relay）を採用するとき、即ち、eNode-Bからリレーノードまでのリンクとリレーノードからユーザ端末UE（UserEquipment）までのリンクは同じ周波数リソースに動作する。インバンドリレーノードの送信機は自体の受信機に妨害（自体妨害）が生じるので、eNode-BからリレーノードまでのリンクとリレーノードからUEまでのリンクは、十分のシグナル分離とアンテナ隔離度を備えない限り、同時に同じ周波数資源に働かない。類似に、リレーノードはUEから送信したデータを受信し、同時にeNode-Bに送信することができない。
【０００９】
現在のLTEシステムの規定に基づいて、１つの10msの無線フレーム（frame）は、10個の1msのサブフレーム（subframe）から構成され、ユニキャストUnicastサブフレームとマルチキャスト放送MulticastBroadcastサブフレームを含むことができ、周波数分割複信（Frequency Division Duplex、FDD）の方式を採用するとき、#0、#5サブフレームが同期シグナルを送信するが、#4、#9サブフレームがページングpagingとして使用する。時分割複信（TimeDivision Duplex、TDD）の方式を採用するとき、#0、#5サブフレームが同期シグナルを送信するが、#1、#6サブフレームはページングpagingとして使用する。つまり、FDD{#0、#4、#5、#9}サブフレームとTDD{#0、#1、#5、#6}サブフレームに対して、上記特殊な用途があるので、マルチキャスト放送シングル周波数ネットワーク（MulticastBroadcast Single Frequency Network、MBSFN）サブフレームの配布に使用できず、即ち、１つの無線フレームで配布可能なMBSFNサブフレームは最大に6つのサブフレームがある。
【００１０】
送受信の妨害問題を解決可能な１つの方法としては、リレーノードがeNode-Bからのデータを受信するとき、UEに送信しなく、つまり、UEリンクにリレーした後保護間隔スロット（gap）を追加する必要があり、保護間隔スロットにいかなる操作をしなく、ただ送受信または受送信状態の転換だけに使用する。現在、LTEにおいてリレーサブフレームの伝送に用いるMBSFNサブフレームを採用し、具体的な方式としては、マルチメディア制御エンティティ（MBMSControl Entity、MCE）は、先にeNode-Bに使用可能なMBSFNサブフレームを配置して、eNode-Bが更にこれらの使用可能なMBSFNサブフレームにおいて使用可能なリレーサブフレームを配置する。これによって、ダウンリンクのときにリレーノードは、先に最初の1つまたは2つのOFDM符号で、それに属するUEに制御情報（上り送信データのフィードバック情報ACK/NACK（Acknowlegment/NegativeAcknowlegment）と上りグランド情報（UL grant））を送信し、その後、「gap」時間範囲内に送信から受信までの切換を完了させた後、その後ろのOFDM符号でeNode-Bからのデータを受信する。
【発明の概要】
【発明が解決しようとする課題】
【００１１】
現在、MBSFNサブフレーム（subframe）がリレーサブフレーム（relaysubframe）とする検討はホットスポットであるが、eNode-B（基地局）からリレーノード（RelayNode、RN）までのリンクの具体的な制御チャネルの構造及びマッピング方式はまだ空白である。また、ダウンリンクのときにRNは先に最初の1つまたは2つのOFDM符号でそれに属するUEに制御情報を送信するが、eNode-Bは最初の1つまたは2つまたは3つまたは4つのOFDM符号でそれに直接に転送するUEの制御情報を送信し、RNは最初の1つまたは2つのOFDM符号内でeNode-BからRNリンクまでの制御情報を受信することができない。本発明は、まさにこのような問題に対処するために提案されている。
【課題を解決するための手段】
【００１２】
そこで、本発明は、これに鑑みてなされたものであり、本発明の1つの主な目的とするところは、基地局からリレーノードまでのリンク上の制御チャネルのマッピング及び伝送問題を解決することに用いるリレーリンク制御チャネルの伝送方法を提供することにある。上記目的を達するために、本発明に係る技術法案はこのように実現されることであり、
本発明に係るリレーリンク制御チャネルの伝送方法は基地局からリレーノードまでのリンクのサブフレームにおいて、周波数分割多重方式、または時間分割-周波数分割多重方式、または時間分割多重方式を採用して、制御情報のキャリー及び制御チャネルのマッピングを行い、
前記周波数分割多重方式が、周波数方向上の１つまたは複数のリソースブロックと、時間方向上のサブフレーム内のリレーリンクの使用可能なOFDM符号の全体集合によって、基地局からリレーノードまでのリンクの制御情報をキャリーし、
前記時間分割-周波数分割多重方式が、周波数方向上の1つまたは複数のリソースブロックと、時間方向上のサブフレーム内のリレーリンクの使用可能なOFDM符号のサブセットによって、基地局からリレーノードまでのリンクの制御情報をキャリーし、
前記時間分割多重方式が、周波数方向上の全体のリソースブロックと、時間方向上のサブフレーム内のリレーリンクの使用可能なOFDM符号のサブセットによって、基地局からリレーノードまでのリンクの制御情報をキャリーし、
制御チャネルマッピングは時間方向及び/または周波数方向のマッピングを含む。
【００１３】
更に、前記周波数分割多重方式は、連続または離散的なリソースブロックと、サブフレーム内のリレーリンクの使用可能なOFDM符号の全体集合によって、基地局からリレーノードまでのリンクの制御情報をキャリーする。
【００１４】
周波数分割多重方式での制御チャネルの周波数方向のマッピング方式は、
連続的なリソースブロックと、サブフレーム内のリレーリンクの使用可能なOFDM符号の全体集合に対応する制御情報のキャリーする方式を採用して、基地局からリレーノードまでのリンクの制御情報をキャリーし、当該キャリーする方式において、基地局とリレーノードは、システムにおけるセルIDと総リソースブロックの数によって、またはシステムにおけるセルIDとサブフレーム番号によって、基地局からリレーノードまでのリンクの制御情報をキャリーすることに用いられるリソースブロックの数と位置を確定し、基地局からリレーノードまでのリンクの制御情報をキャリーすることに用いられ確定されたリソースブロックの1つまたは複数のリソースブロック上に、制御情報及び他に基地局からリレーノードまでのリンク制御情報をキャリーすることに用いられるリソースブロックの数と位置情報をキャリーし、
または、離散的なリソースブロックと、サブフレーム内のリレーリンクの使用可能なOFDM符号の全体集合に対応する制御情報のキャリーする方式を採用して、基地局からリレーノードまでのリンクの制御情報をキャリーし、当該キャリーする方式において、基地局とリレーノードは、システムにおけるセルIDと総リソースブロックの数によって、またはシステムにおけるセルIDとサブフレーム番号によって、基地局からリレーノードまでのリンクの制御情報をキャリーすることに用いられるリソースブロックの数と位置を確定し、かつ基地局からリレーノードまでのリンク制御情報をキャリーすることに用いられ確定されたリソースブロックにおいて、PCFICH物理制御フォーマットインジケータチャネルをマッピングするサブキャリア群に対応するリソースブロック上に、制御情報及び他に基地局からリレーノードまでのリンク制御情報をキャリーすることに用いられるリソースブロックの数と位置情報をキャリーする。
【００１５】
更に、前記時間分割-周波数分割多重方式は、連続または離散的なリソースブロックと、サブフレーム内のリレーリンクの使用可能なOFDM符号のサブセットによって、基地局からリレーノードまでのリンクの制御情報をキャリーする。
【００１６】
前記時間分割-周波数分割多重方式での制御チャネルの周波数方向のマッピング方式は、
連続的なリソースブロックと、サブフレーム内のリレーリンクの使用可能なOFDM符号のサブセットに対応するの制御情報のキャリーする方式を採用して、基地局からリレーノードまでのリンク制御情報をキャリーし、当該キャリーする方式において、基地局とリレーノードは、システムにおけるセルIDと総リソースブロックの数によって、またはシステムにおけるセルIDとサブフレーム番号によって、基地局からリレーノードまでのリンク制御情報をキャリーすることに用いられるリソースブロックの数と位置を確定し、基地局からリレーノードまでのリンクの制御情報をキャリーすることに用いられ確定されたリソースブロックの1つまたは複数のリソースブロック上に、制御情報及び他に基地局からリレーノードまでのリンク制御情報をキャリーすることに用いられるリソースブロックの数と位置情報をキャリーし、
または、離散的なリソースブロックと、サブフレーム内のリレーリンクの使用可能なOFDM符号のサブセットに対応する制御情報のキャリーする方式を採用して、基地局からリレーノードまでのリンク制御情報をキャリーし、当該キャリーする方式において、基地局とリレーノードは、システムにおけるセルIDと総リソースブロックの数によって、またはシステムにおけるセルIDとサブフレーム番号によって、基地局からリレーノードまでのリンク制御情報をキャリーすることに用いられるリソースブロックの数と位置を確定し、基地局からリレーノードまでのリンク制御情報をキャリーすることに用いられる確定されたリソースブロックにおいて、PCFICH物理制御フォーマットインジケータチャネルをマッピングするサブキャリア群に対応するリソースブロック上に、制御情報及び他に基地局からリレーノードまでのリンク制御情報をキャリーすることに用いられるリソースブロックの数と位置情報をキャリーする。
【００１７】
更に、前記時間分割多重方式は、周波数方向上の全部のリソースブロックと、時間方向上のサブフレーム内のリレーリンクの使用可能なOFDM符号のサブセットによって、基地局からリレーノードまでのリンクの制御情報をキャリーする。具体的に、OFDM符号内の全部の周波数資源によって制御情報をキャリーする。
【００１８】
更に、時間分割-周波数分割多重方式または時間分割多重方式は基地局からリレーノードまでのリンクの制御情報をキャリーするOFDM符号の数が少なくとも１つ、多くとも4つある。
【００１９】
更に、時間方向上で、基地局が基地局からリレーノードまでのリンクの制御情報をキャリーすることに用いられるOFDM符号を送信する位置は、４つ目または５つ目のOFDM符号からスタートする。その中、下りリソースブロックの数が10以下であるとき、基地局が基地局からリレーノードまでのリンクの制御情報をキャリーすることに用いられるOFDM符号を送信する位置は、5つ目のOFDM符号からスタートする。さもないと、基地局が基地局からリレーノードまでのリンクの制御情報をキャリーすることに用いられるOFDM符号を送信する位置は、4つ目のOFDM符号からスタートする。
【００２０】
リレーノードが基地局からリレーノードまでのリンクの制御情報をキャリーすることに用いられるOFDM符号を受信する位置は、4つ目または5つ目のOFDM符号からスタートする。その中、下りリソースブロックの数が10以下であるとき、リレーノードが基地局からリレーノードまでのリンクの制御情報をキャリーすることに用いられるOFDM符号を受信する位置は、５つ目のOFDM符号からスタートする。さもないと、リレーノードが基地局からリレーノードまでのリンクの制御情報をキャリーすることに用いられるOFDM符号を受信する位置は、4つ目のOFDM符号からスタートする。
【００２１】
または、時間方向上で、基地局が基地局からリレーノードまでのリンクの制御情報をキャリーすることに用いられるOFDM符号を送信する位置は、いずれも4つ目または5つ目のOFDM符号からスタートする。リレーノードが基地局からリレーノードまでのリンクの制御情報をキャリーすることに用いられるOFDM符号を受信する位置は、いずれも4つ目または5つ目のOFDM符号からスタートする。
【００２２】
または、時間方向上で、基地局が基地局からリレーノードまでのリンクの制御情報をキャリーすることに用いられるOFDM符号を送信する開始位置は、シグナリング通知の方式で配置され、リレーノードが基地局からリレーノードまでのリンクの制御情報をキャリーすることに用いられるOFDM符号を受信する開始位置は、シグナリング配置により取得する。
【００２３】
更に、前記基地局からリレーノードまでのリンクの制御情報は1つのリレーノードまたは複数のリレーノードの制御情報を含む。前記制御情報は、リレーノード下り上りグラント制御情報、及び/または基地局からリレーノードに利用可能な資源を通知する制御情報、及び/または基地局からリレーノードに所属端末を通知する制御情報、を更に含む。
【００２４】
本発明のもう1つの目的とするところは、リレーリンク制御チャネルの伝送システムを提供することにある。
【００２５】
周波数分割多重方式、または時間分割-周波数分割多重方式、または時間分割多重方式を採用して、制御情報のキャリー及び制御チャネルのマッピングを行い、基地局からリレーノードまでのリンクの制御情報を制御チャネルデマッピングモジュールに転送する制御チャネルマッピングモジュールと、
前記制御チャネルを受信してデマッピングして、前記制御情報を取得する制御チャネルデマッピングモジュールと、を含む。
【００２６】
前記周波数分割多重方式は、周波数方向上の1つまたは複数のリソースブロックと、時間方向上のサブフレーム内のリレーリンクの使用可能なOFDM符号の全体集合によって、基地局からリレーノードまでのリンクの制御情報をキャリーする。
【００２７】
前記時間分割-周波数分割多重方式は、周波数方向上の1つまたは複数のリソースブロックと、時間方向上のサブフレーム内のリレーリンクの使用可能なOFDM符号のサブセットによって、基地局からリレーノードまでのリンクの制御情報をキャリーする。
【００２８】
前記時間分割多重方式は、周波数方向上の全体のリソースブロックと、時間方向上のサブフレーム内のリレーリンクの使用可能なOFDM符号のサブセットによって、基地局からリレーノードまでのリンクの制御情報をキャリーする。
【００２９】
制御チャネルマッピングは、時間方向及び/または周波数方向のマッピングを含む。
【００３０】
前記システムにおいて、周波数分割多重方式、時間分割-周波数分割多重方式で、制御チャネルが時間方向及び/または周波数方向のマッピング方式は、方法に係る技術案に採用される方式と同じである。
【００３１】
更に、前記システムにおいて、時間分割-周波数分割多重方式または時間分割多重方式は、基地局からリレーノードまでのリンクの制御情報をキャリーするOFDM符号の数が少なくとも１つ、多くとも4つある。
【００３２】
更に、前記システムにおいて、時間方向上で、基地局が基地局からリレーノードまでのリンクの制御情報をキャリーすることに用いられるOFDM符号を送信する位置は、4つ目または5つ目のOFDM符号からスタートする。下りリソースブロックの数が10以下であるとき、基地局が基地局からリレーノードまでのリンクの制御情報をキャリーすることに用いられるOFDM符号を送信する位置は、５つ目のOFDM符号からスタートする。さもないと、基地局が基地局からリレーノードまでのリンクの制御情報をキャリーすることに用いられるOFDM符号を送信する位置は、4つ目のOFDM符号からスタートする。リレーノードが基地局からリレーノードまでのリンクの制御情報をキャリーすることに用いられるOFDM符号を受信する位置は、4つ目または5つ目のOFDM符号からスタートする。下りリソースブロックの数が10の以下であるとき、リレーノードが基地局からリレーノードまでのリンクの制御情報をキャリーすることに用いられるOFDM符号を受信する位置は、５つ目のOFDM符号からスタートする。さもないと、リレーノードが基地局からリレーノードまでのリンクの制御情報をキャリーすることに用いられるOFDM符号を受信する位置は、4つ目のOFDM符号からスタートする。
【００３３】
または、時間方向上で、基地局が基地局からリレーノードまでのリンクの制御情報をキャリーすることに用いられるOFDM符号を送信する位置は、いずれも4つ目または5つ目のOFDM符号からスタートする。リレーノードが基地局からリレーノードまでのリンクの制御情報をキャリーすることに用いられるOFDM符号を受信する位置は、全て4つ目または5つ目のOFDM符号からスタートする。
【００３４】
または、時間方向上で、基地局が基地局からリレーノードまでのリンクの制御情報をキャリーすることに用いられるOFDM符号を送信する開始位置は、シグナリング通知の方式で配置され、リレーノードが基地局からリレーノードまでのリンクの制御情報をキャリーすることに用いられるOFDM符号を受信する開始位置は、シグナリングの配置により取得する。
【発明の効果】
【００３５】
本発明において、リレーリンク制御チャネル構造及びマッピング方式は、基地局からリレーノードまでのリンクによく適用することができ、後項互換性（LTEシステムとの互換）を保証するうえに、リレーノードが正しく基地局からの制御情報を受信できる問題も解決し、周波数ダイバーシティ利得の効果を獲得し、また、時間分割多重方式は省電力の目的も達せ、周波数分割多重方式と時間分割-周波数分割多重方式はサービスを柔軟にスケジューリングする利点もさらにある。
【図面の簡単な説明】
【００３６】
【図１】図１は、本発明の第1の実施の形態に係る連続的なリソースブロックと、サブフレーム内のリレーリンクの使用可能なOFDM符号の全体集合によって、制御情報をキャリーすることを示す図である。
【図２】図２は、本発明の第2の実施の形態に係る連続的なリソースブロックと、サブフレーム内のリレーリンクの使用可能なOFDM符号の全体集合によって、制御情報をキャリーすることを示す図である。
【図３】図３は、本発明の第3の実施の形態に係る離散的なリソースブロックと、サブフレーム内のリレーリンクの使用可能なOFDM符号の全体集合によって、制御情報をキャリーすることを示す図である。
【図４】図４は、本発明の4番目の実施の形態に係る離散的なリソースブロックと、サブフレーム内のリレーリンクの使用可能なOFDM符号の全体集合によって、制御情報をキャリーすることを示す図である。
【図５】図５は、本発明の第5の実施の形態に係る全体の周波数資源によって制御情報をキャリーすることを示す図である。
【図６】図６は、本発明の第6の実施の形態に係る連続的なリソースブロックと、サブフレーム内のリレーリンクの使用可能なOFDM符号の全体集合によって、制御情報をキャリーすることを示す図である。
【図７】図７は、本発明の第7の実施の形態に係るPCFICHに依存していない離散的なリソースブロックと、サブフレーム内のリレーリンクの使用可能なOFDM符号サブセットによって、制御情報をキャリーすることを示す図である。
【図８】図８は、本発明の第8の実施の形態に係るPCFICHに依存している離散的なリソースブロックと、サブフレーム内のリレーリンクの使用可能なOFDM符号のサブセットによって、制御情報をキャリーすることを示す図である。
【図９】図９は、本発明のリレーリンク制御チャネルの伝送方法を実現するシステム構造を示す図である。
【発明を実施するための形態】
【００３７】
本発明の目的、技術案及び利点をもっと明瞭にさせるために、実施例を挙げしながら添付図面を参照して、本発明を更に詳細に説明する。
【００３８】
実施の形態1
図1は本発明に係る集中式（連続）リソースブロックと、サブフレーム内のリレーリンクの使用可能なOFDM符号の全体集合によって、制御情報をキャリーすることを示す図である。図が示すようなフレーム構造を基礎として、あるサブフレームの最初の１つまたは最初の2つまたは最初の3つのOFDM符号が、基地局から端末までのリンクの制御情報をキャリーすることに用いることができる。本実施例において、最初の3つのOFDM符号が、基地局から端末までのリンクの制御情報をキャリーすることに用い、図の
0005342659.tif 000005
シャドウ領域によりマークする。6番目、7番目、8番目、9番目と10番目リソースブロックと、サブフレーム内のリレーリンクの使用可能なOFDM符号の全体集合によって、基地局からリレーノードまでのリンクの制御情報（本実施例に係るリレーリンクの使用可能なOFDM符号の全体集合、即ち、4番目のOFDM符号から現在のサブフレームの最後の1つのOFDM符号まで）をキャリーする。基地局とリレーノードは、システムにおけるセルID（identity）と総リソースブロックの数によってまたはシステムにおけるセルIDとサブフレーム番号によって、計算して、6番目リソースブロックが基地局からリレーノードまでのリンクの制御情報及び他に基地局からリレーノードまでのリンクの制御情報をキャリーすることに用いられるリソースブロックの数と位置情報をキャリーすることに用いられ、図の
0005342659.tif 000006
シャドウ領域によりマークする。前記他に基地局からリレーノードまでのリンクの制御情報をキャリーすることに用いられるリソースブロックは、7番目、8番目、9番目と10番目リソースブロックであって、図の
0005342659.tif 000007
シャドウ領域によりマークする。他のリソースブロック上に基地局から端末までのリンク及び基地局からリレーノードまでのリンクサービス情報をキャリーする。
本実施例は周波数分割多重方式を採用して、連続なリソースブロックと、サブフレーム内のリレーリンクの使用可能なOFDM符号の全体集合によって、基地局からリレーノードまでのリンクの制御情報をキャリーする。集中式のリソースブロックの構造を採用するため、基地局から端末までのリンクを影響しないので、当該方式は柔軟にスケジューリングすることができる。
【００３９】
実施の形態2
図2は本発明に係る集中式（連続）リソースブロックと、サブフレーム内のリレーリンクの使用可能なOFDM符号の全体集合によって、制御情報をキャリーすることを示す図である。図が示すようなフレーム構造を基礎として、あるサブフレームの最初の1つまたは2つまたは3つまたは4つのOFDM符号が、基地局から端末までのリンクの制御情報をキャリーすることに用いることができる。本実施例において、最初の4つのOFDM符号が、基地局から端末までのリンクの制御情報をキャリーすることに用い、図に
0005342659.tif 000008
シャドウ領域によりマークする。16番目、17番目、18番目、19番目と20番目リソースブロックと、サブフレーム内のリレーリンクの使用可能なOFDM符号の全体集合によって、基地局からリレーノードまでのリンクの制御情報（本実施例に係るリレーリンクの使用可能なOFDM符号の全体集合、即ち、5番目のOFDM符号から現在のサブフレームの最後の1つOFDM符号まで）をキャリーする。基地局とリレーノードは、システムにおけるセルID（identity）と総リソースブロックの数によってまたはシステムにおけるセルIDとサブフレーム番号によって、計算を経って、16番目、17番目、18番目、19番目と20番目リソースブロックが、基地局からリレーノードまでのリンクの制御情報をキャリーすることに用い、図の
0005342659.tif 000009
シャドウ領域によりマークする。他のリソースブロック上に基地局から端末までのリンク及び基地局からリレーノードまでのリンクのサービス情報をキャリーする。
【００４０】
本実施例は周波数分割多重方式を採用して、連続なリソースブロックと、サブフレーム内のリレーリンクの使用可能なOFDM符号の全体集合によって、基地局からリレーノードまでのリンクの制御情報をキャリーする。集中式のリソースブロックの構造を採用するため、基地局から端末までのリンクを影響しないので、当該方式は柔軟にスケジューリングすることができる。
【００４１】
実施の形態3
図3は、本発明のPCFICHに依存しない分散式（離散）リソースブロックと、サブフレーム内のリレーリンクの使用可能なOFDM符号の全体集合によって、制御情報をキャリーすることを示す図である。図が示すようなフレーム構造を基礎として、あるサブフレーム最初の１つまたは最初の2つまたは最初の3つOFDM符号が、基地局から端末までのリンクの制御情報をキャリーすることに用いることができる。本実施例において、最初の3つOFDM符号が、基地局から端末までのリンク的制御情報をキャリーすることに用い、図の
0005342659.tif 000010
シャドウ領域によりマークする。6番目、10番目、14番目、18番目及び22番目リソースブロックと、サブフレーム内のリレーリンクの使用可能なOFDM符号の全体集合によって、基地局からリレーノードまでのリンクの制御情報（本実施例に係るリレーリンクの使用可能なOFDM符号の全体集合、即ち、4番目のOFDM符号から現在のサブフレームの最後の1つのOFDM符号まで）をキャリーする。基地局とリレーノードは、システムにおけるセルID（identity）と総リソースブロックの数によってまたはシステムにおけるセルIDとサブフレーム番号によって、計算して、6番目リソースブロックが基地局からリレーノードまでのリンクの制御情報及び他に基地局からリレーノードまでのリンクの制御情報をキャリーすることに用いられるリソースブロックの数と位置情報をキャリーすることに用いられ、図の
0005342659.tif 000011
シャドウ領域によりマークする。前記他に基地局からリレーノードまでのリンクの制御情報をキャリーすることに用いられるリソースブロックは、10番目、14番目、18番目及び、22番目リソースブロックであって、図の
0005342659.tif 000012
シャドウ領域によりマークする。他のリソースブロック上に基地局から端末までのリンク及び基地局からリレーノードまでのリンクのサービス情報をキャリーする。
【００４２】
本実施例は周波数分割多重方式を採用して、離散的なリソースブロックと、サブフレーム内のリレーリンクの使用可能なOFDM符号の全体集合によって、基地局からリレーノードまでのリンクの制御情報をキャリーする。分散式のリソースブロックの構造を採用するため、基地局から端末までのリンクを影響しないので、当該方式は柔軟にスケジューリングすることができ、またもっと多い周波数ダイバーシティ利得を取得することができる。
【００４３】
実施の形態4
図4は、本発明に係るPCFICHに依存する分散式（離散）リソースブロックと、サブフレーム内のリレーリンクの使用可能なOFDM符号の全体集合によって、制御情報をキャリーすることを示す図である。図が示すようなフレーム構造を基礎として、あるサブフレーム最初の１つまたは最初の2つまたは最初の3つOFDM符号が、基地局から端末までのリンクの制御情報をキャリーすることに用いることができる。本実施例において、最初の3つOFDM符号が、基地局から端末までのリンクの制御情報をキャリーすることに用い、図に
0005342659.tif 000013
シャドウ領域によりマークする。4番目、7番目、10番目、13番目、16番目、19番目及び、22番目リソースブロックと、サブフレーム内のリレーリンクの使用可能なOFDM符号の全体集合によって、基地局からリレーノードまでのリンクの制御情報（本実施例に係るリレーリンクの使用可能なOFDM符号の全体集合、即ち、4番目のOFDM符号から現在のサブフレームの最後の1つのOFDM符号まで）をキャリーする。基地局とリレーノードは、PCFICH物理制御フォーマットインジケータチャネルをマッピングするサブキャリア群に対応するリソースブロックが、基地局からリレーノードまでのリンクの制御情報及び他に基地局からリレーノードまでのリンクの制御情報をキャリーすることに用いられるリソースブロックの数と位置情報をキャリーすることに用いられることを規定し、図の
0005342659.tif 000014
シャドウ領域によりマークする。PCFICH物理制御フォーマットインジケータチャネルをマッピングするサブキャリア群に対応するリソースブロックは、それぞれ4番目、10番目、16番目及び、22番目リソースブロックであって、PCFICH物理制御フォーマットインジケータチャネルをマッピングするサブキャリア群が図の
0005342659.tif 000015
シャドウ領域によりマークされる。前記他に基地局からリレーノードまでのリンクの制御情報をキャリーすることに用いられるリソースブロックは、7番目、13番目及び19番目リソースブロックであって、図の
0005342659.tif 000016
シャドウ領域によりマークする。他の空白のリソースブロック上に基地局から端末までのリンクまで及び基地局からリレーノードまでのリンクのサービス情報をキャリーする。
【００４４】
本実施例は周波数分割多重方式を採用して、離散的なリソースブロックと、サブフレーム内のリレーリンクの使用可能なOFDM符号の全体集合によって、基地局からリレーノードまでのリンクの制御情報をキャリーする。分散式のリソースブロックの構造を採用するため、基地局から端末までのリンクを影響しないので、当該方式は柔軟にスケジューリングすることができ、またもっと多い周波数ダイバーシティ利得を取得することができる。
【００４５】
実施の形態5
図5は、本発明に係るリレーリンクの使用可能なOFDM符号のサブセットによって、基地局からリレーノードまでのリンクの制御情報をキャリーし、即ち、全体の周波数資源がすべて制御情報をキャリーすることに使用されることを示す図である（本実施例リレーリンクの使用可能なOFDM符号のサブセットは即ち4番目及び/または5番目OFDM符号である）。図が示すようなフレーム構造を基礎として、あるサブフレームの最初の１つまたは最初の2つまたは最初の3つOFDM符号が、基地局から端末までのリンクの制御情報をキャリーすることに用い、4番目及び/または5番目のOFDM符号の全体の周波数資源が、基地局からリレーノードまでのリンクの制御情報をキャリーすることに用いる。本実施例において、最初の3つOFDM符号が、基地局から端末までのリンクの制御情報をキャリーすることに用い、図に
0005342659.tif 000017
シャドウ領域によりマークする。4番目及び/または5番目OFDM符号の全体の周波数資源が、基地局からリレーノードまでのリンクの制御情報をキャリーすることに用い、図の
0005342659.tif 000018
シャドウ領域によりマークする。他の空白のリソースブロック上に基地局から端末までのリンク及び基地局からリレーノードまでのリンクのサービス情報をキャリーする。
【００４６】
本実施例は時間分割多重方式を採用して、連続的なOFDM符号において、全体の周波数により、基地局からリレーノードまでのリンクの制御情報をキャリーする。TDM全体の周波数資源の結構を採用するので、リレーノードに対して、リレーノードは制御チャネルにおける内容をモニターし、このときに自体に属する制御情報がないと、リレーノードは後のOFDM符号を再び受信する必要がない、省電力の目的に達することができる。
【００４７】
実施の形態6
図6は本発明に係る集中式（連続）リソースブロックと、サブフレーム内のリレーリンクの使用可能なOFDM符号のサブセットによって制御情報をキャリーすることを示す図である。図が示すようなフレーム構造を基礎として、あるサブフレーム最初の１つまたは最初の2つまたは最初の3つOFDM符号が、基地局から端末までのリンクの制御情報をキャリーすることに用いることができる。4番目及び/または5番目OFDM符号の集中式リソースブロックが、基地局からリレーノードまでのリンクの制御情報をキャリーすることに用いる。本実施例において、最初の3つOFDM符号が、基地局から端末までのリンクの制御情報をキャリーすることに用い、図に
0005342659.tif 000019
シャドウ領域によりマークする。4番目及び/または5番目OFDM符号の集中式リソースブロックが、基地局からリレーノードまでのリンクの制御情報をキャリーすることに用い、即ち、6番目から20番目リソースブロックと、サブフレーム内のリレーリンクの使用可能なOFDM符号のサブセットによって、基地局からリレーノードまでのリンクの制御情報（本実施例リレーリンクの使用可能なOFDM符号のサブセットは、即ち、4番目及び/または5番目OFDM符号である）をキャリーし、図の
0005342659.tif 000020
シャドウ領域によりマークする。他の空白のリソースブロック上に基地局から端末までのリンク及び基地局からリレーノードまでのリンクのサービス情報をキャリーする。
【００４８】
本実施例は時間分割-周波数分割多重方式を採用し、OFDM符号内における連続的なリソースブロック上に制御情報をキャリーする。TDM集中式リソースブロック構造を採用するので、リレーノードに対して、リレーノードは制御チャネルにおける内容をモニターし、このときに自体に属する制御情報がないと、リレーノードは後のOFDM符号を再び受信する必要がない、省電力の目的に達することができる。
【００４９】
実施の形態7
図7は、本発明に係るPCFICHに依存していない分散式（離散）リソースブロックと、サブフレーム内のリレーリンクの使用可能なOFDM符号のサブセットによって制御情報をキャリーすることを示す図である。図が示すようなフレーム構造を基礎として、あるサブフレーム最初の１つまたは最初の2つまたは最初の3つOFDM符号が、基地局から端末までのリンクの制御情報をキャリーすることに用いることができ、図に
0005342659.tif 000021
シャドウ領域によりマークする。4番目及び/または5番目OFDM符号の分散式リソースブロックが、基地局からリレーノードまでのリンクの制御情報をキャリーすることに用い、即ち、6番目、10番目、14番目、18番目と22番目のリソースブロックと、サブフレーム内のリレーリンクの使用可能なOFDM符号のサブセットによって、基地局からリレーノードまでのリンクの制御情報（本実施例リレーリンクの使用可能なOFDM符号のサブセットは4番目及び/または5番目OFDM符号である）をキャリーする。基地局とリレーノードは、システムにおけるセルID（identity）と総リソースブロックの数によって、またはシステムにおけるセルIDとサブフレーム番号によって、計算して、6番目リソースブロックが基地局からリレーノードまでのリンクの制御情報及び他に基地局からリレーノードまでのリンクの制御情報をキャリーすることに用いられるリソースブロックの数と位置情報をキャリーすることに用いられ、図の
0005342659.tif 000022
シャドウ領域によりマークする。前記他に基地局からリレーノードまでのリンクの制御情報をキャリーするリソースブロックは、10番目、14番目、18番目と22番目のリソースブロックであって、図の
0005342659.tif 000023
シャドウ領域によりマークする。他の空白のリソースブロック上に基地局から端末までのリンク及び基地局からリレーノードまでのリンクのサービス情報をキャリーする。
【００５０】
本実施例は時間分割-周波数分割多重方式を採用し、OFDM符号内の離散的なリソースブロック上に制御情報をキャリーする。TDM分散式リソースブロックの構造を採用するので、リレーノードに対して、リレーノードは制御チャネルにおける内容をモニターし、このときに自体に属する制御情報がないと、リレーノードは後のOFDM符号を再び受信する必要がない、省電力の目的に達することができ、またもっと多い周波数ダイバーシティ利得を取得することができる。
【００５１】
実施の形態8
図8は、本発明に係るPCFICHに依存している分散式（離散）リソースブロックと、サブフレーム内のリレーリンクの使用可能なOFDM符号のサブセットによって制御情報をキャリーすることを示す図である。図が示すようなフレーム構造を基礎として、あるサブフレーム最初の１つまたは最初の2つまたは最初の3つOFDM符号が、基地局から端末までのリンクの制御情報をキャリーすることに用いられ、図に
0005342659.tif 000024
シャドウ領域によりマークする。4番目及び/または5番目のOFDM符号の分散式リソースブロックが、基地局からリレーノードまでのリンクの制御情報をキャリーすることに用いる。4番目、7番目、10番目、13番目、16番目、19番目及び、22番目リソースブロックと、サブフレーム内のリレーリンクの使用可能なOFDM符号のサブセットによって、基地局からリレーノードまでのリンクの制御情報（本実施例リレーリンクの使用可能なOFDM符号のサブセットは、即ち、4番目及び/または5番目OFDM符号である）をキャリーする。基地局とリレーノードは、PCFICH物理制御フォーマットインジケータチャネルをマッピングするサブキャリア群に対応するリソースブロックが、基地局からリレーノードまでのリンクの制御情報及び他に基地局からリレーノードまでのリンクの制御情報をキャリーすることに用いられるリソースブロックの数と位置情報をキャリーすることに用いられることを規定し、図の
0005342659.tif 000025
シャドウ領域によりマークする。前記他に基地局からリレーノードまでのリンクの制御情報をキャリーすることに用いられるリソースブロックは、7番目、13番目及び19番目リソースブロックであって、図の
0005342659.tif 000026
シャドウ領域によりマークする。
【００５２】
本実施例は時間分割-周波数分割多重方式を採用し、OFDM符号内の離散的なリソースブロック上に制御情報をキャリーする。TDM分散式リソースブロックの構造を採用するので、リレーノードに対して、リレーノードは制御チャネルにおける内容をモニターし、このときに自体に属する制御情報がないと、リレーノードは後のOFDM符号を再び受信する必要がない、省電力の目的に達することができ、またもっと多い周波数ダイバーシティ利得を取得することができる。
【００５３】
本発明において、基地局とリレーノードは、システムにおけるセルIDと総リソースブロックの数によって、基地局からリレーノードまでのリンクの制御情報をキャリーすることに用いられるリソースブロックの数と位置を確定し、具体的な実現方法を説明する。例えば、あるセルIDが9bitsである二進法「000111000」であり、下りリンクの総リソースブロックの数が50RBsであって、基地局とリレーノードは上記セルIDの十進法を利用して、「50」をモジュロ演算し、具体的に、例えば、「000111000」の十進法が「56」であると、基地局からリレーノードまでのリンクの制御情報をキャリーすることに用いられるリソースブロックの位置がmod（56、50）を確定し、即ち、6番目リソースブロックは基地局からリレーノードまでのリンクの制御情報をキャリーすることに用いられるリソースブロックの位置であると確定され、6番目リソースブロックは、基地局からリレーノードまでのリンクの制御情報及び他に基地局からリレーノードまでのリンクの制御情報をキャリーするに用いられるリソースブロックの数と位置情報をキャリーする。
【００５４】
本発明において、基地局とリレーノードは、システムにおけるセルIDとサブフレーム番号によって、基地局からリレーノードまでのリンクの制御情報をキャリーすることに用いられるリソースブロックの数と位置を確定し、具体的な実現方法を説明する。例えば、あるセルIDが9bitsである二進法「000111000」であり、サブフレーム番号が「10」であって、基地局とリレーノードは上記セルIDの十進法を利用して、「10」をモジュロ演算し、具体的に、例えば、「000111000」の十進法が「56」であると、基地局からリレーノードまでのリンクの制御情報をキャリーすることに用いられるリソースブロックの位置がmod（56、10）と確定し、即ち、6番目リソースブロックは基地局からリレーノードまでのリンクの制御情報をキャリーすることに用いられるリソースブロックの位置であると確定され、6番目リソースブロックは、基地局からリレーノードまでのリンクの制御情報以及び他に基地局からリレーノードまでのリンクの制御情報をキャリーすることに用いられるリソースブロックの数と位置情報をキャリーする。
【００５５】
本発明において、基地局からリレーノードまでのリンクの制御情報は1つのリレーノードまたは複数のリレーノードの制御情報を含むことができる。また、制御情報は、リレーノード下り上りグラント制御情報、及び/または基地局からリレーノードに資源を利用できることを通知する制御情報、及び/または基地局からリレーノードに所属の端末を通知する制御情報を更に含む。リレーノードはリレーノード下り上りグラント制御情報をモニターした後、当該制御情報により対応のサービス情報を復調する。基地局からリレーノードに資源を利用できることを通知する制御情報をモニターしたら、当該リレーノードは当該制御情報により資源を配布する。基地局からリレーノードに所属の端末を通知する制御情報をモニターしたら、当該リレーノードは当該制御情報を対応端末に転送する。
【００５６】
図9は、本発明に係るリレーリンク制御チャネルの伝送方法を実現するシステム構造を示す図である、基地局側の制御チャネルマッピングモジュールとリレーノード側の制御チャネルデマッピングモジュールを含む。
【００５７】
制御チャネルマッピングモジュールは、周波数分割多重方式または時間分割-周波数分割多重方式または時間分割多重方式を採用して、制御情報のキャリー及び制御チャネルのマッピングを行い、基地局からリレーノードまでのリンクの制御情報を制御チャネルデマッピングモジュールに伝送することに用いる。制御チャネルデマッピングモジュールは、前記制御チャネルを受信してデマッピングして、前記制御情報を取得する。前記システムにおいて、周波数分割多重方式、時間分割-周波数分割多重方式で、制御チャネルの時間方向及び/または周波数方向のマッピング方式の実施例は上記実施例と同じである。
【００５８】
実施の形態9
時間方向上で、基地局が基地局からリレーノードまでのリンクの制御情報をキャリーすることに用いられるOFDM符号を送信する開始位置は、下りリソースブロックの数により決められるとき、例えば、下りリソースブロックの数が6つのリソースブロックであると、基地局が基地局からリレーノードまでのリンクの制御情報をキャリーすることに用いられるOFDM符号を送信する位置は５つ目のOFDM符号からスタートする、リレーノードが基地局からリレーノードまでのリンクの制御情報をキャリーすることに用いられるOFDM符号を受信する位置は５つ目のOFDM符号からスタートする。例えば、下りリソースブロックの数が50個のリソースブロックであると、基地局が基地局からリレーノードまでのリンクの制御情報をキャリーすることに用いられるOFDM符号を送信する位置は4つ目のOFDM符号からスタートする。リレーノードが基地局からリレーノードまでのリンクの制御情報をキャリーすることに用いられるOFDM符号を受信する位置は4つ目のOFDM符号からスタートする。
【００５９】
または、時間方向上で、基地局が基地局からリレーノードまでのリンクの制御情報をキャリーすることに用いられるOFDM符号を送信する開始位置は下りリソースブロックの数により決められないとき、例えば、基地局が基地局からリレーノードまでのリンクの制御情報をキャリーすることに用いられるOFDM符号を送信する位置はすべて4つ目のOFDM符号からスタートする。リレーノードが基地局からリレーノードまでのリンクの制御情報をキャリーすることに用いられるOFDM符号を受信する位置はすべて4つ目のOFDM符号からスタートする。
【００６０】
または、時間方向上で、基地局が基地局からリレーノードまでのリンクの制御情報をキャリーすることに用いられるOFDM符号を送信する開始位置は、シグナリング通知の方式で配置され、リレーノードが基地局からリレーノードまでのリンクの制御情報をキャリーすることに用いられるOFDM符号を受信する開始位置は、シグナリングの配置により取得される。
【００６１】
最適に、当該シグナリングは放送シグナリングまたは専用的なシグナリングであってもよい。放送シグナリングはリレーリンクの物理放送チャネルまたはシステムメッセージに最適にキャリーされる。専用的なシグナリングはRRC（Radioresource control）シグナリングに最適にキャリーされる。
【００６２】
本発明は、他の多種の実施の形態がまたあるべき、その精神または本質的な特性から逸脱しない場合で、当業者は、本発明に係る相応の様々の変更及び変形が可能であるが、これらの相応の変更及び変形は本願に係る特許請求の範囲内に含まれるべきである。
【図１】
0005342659.tif 000027
【図２】
0005342659.tif 000028
【図３】
0005342659.tif 000029
【図４】
0005342659.tif 000030
【図５】
0005342659.tif 000031
【図６】
0005342659.tif 000032
【図７】
0005342659.tif 000033
【図８】
0005342659.tif 000034
【図９】
0005342659.tif 000035